(57)【要約】【課題】簡単かつ確実に位置決めを行うことができる圧縮スリーブを提供する。【解決手段】アルミより線１０４ａ、１０４ｂの一部を取去り露出させた鋼心線１０２ａ、１０２ｂを挿入、圧縮し鋼心線同士を接続する鋼スリーブ１１と、鋼スリーブ１１を覆うように取付ける、端部に位置決め用のストッパーを有する２分割アルミカラー４１と、２分割アルミカラー４１の両側に位置するアルミより線１０４ａ、１０４ｂを接続するアルミスリーブ２１と、を有し、２分割アルミカラー４１の外周面には、アルミスリーブ２１の位置決め用の突起５１ａ、５１ｂが設けられ、アルミスリーブ２１は、２分割された一対の分割スリーブ２１ａ、２１ｂで構成され、アルミスリーブ２１ａは、一端部に雄ねじ２５及び突起５１ａ、５１ｂが嵌り込む溝を、アルミスリーブ２１ｂは、一端部に雌ねじ２７及び突起５１ａ、５１ｂが嵌り込む溝を有する。【選択図】図１
2013191419.tif 000002
【特許請求の範囲】
【請求項１】
心線部と該心線部の外周に配置された外層部とを有する同心より線からなる電線同士を接続する圧縮スリーブであって、
外層部の一部を取去り露出させた心線部を挿入、圧縮し心線部同士を接続する内スリーブと、
前記内スリーブを覆うように取付ける、端部に位置決め用のストッパーを有する２分割カラーと、
前記２分割カラーを被せた内スリーブ及び該内スリーブの両側に位置する外層部を挿通、圧縮し外層部同士を接続する外スリーブと、を有し、
前記２分割カラーの外周面には、前記外スリーブの位置決め用の突起が設けられ、
前記外スリーブは、２分割された一対の分割スリーブで構成され、
前記分割スリーブは、一端部に互いを接続可能な接続手段を有し、さらに前記接続手段を有する側の端部に前記突起が嵌り込む凹部を有することを特徴とする圧縮スリーブ。
【請求項２】
前記突起は、前記２分割カラーの長手方向の中心部に円周方向全体に設けられ、
前記凹部は、前記一対の分割スリーブに均等に設けられていることを特徴とする請求項１に記載の圧縮スリーブ。
【請求項３】
前記突起は、前記２分割カラーのいずれか一方に局所的に設けられ、
前記凹部は、前記一対の分割スリーブのいずれか一方にのみ設けられていることを特徴とする請求項１に記載の圧縮スリーブ。
【請求項４】
前記電線が、鋼心アルミより線であり、
前記内スリーブが、鋼心線を接続する鋼スリーブであり、
前記２分割カラーが、２分割アルミカラーであり、
前記外スリーブが、アルミスリーブであることを特徴とする請求項１から３のいずれか１に記載の圧縮スリーブ。
【発明の詳細な説明】
【技術分野】
【０００１】
本発明は、電線同士を接続する圧縮スリーブに関し、特に電線同士を接続するときの圧縮スリーブの位置決めを容易に行うことができる圧縮スリーブに関する。
【背景技術】
【０００２】
架空送電線などの電線同士を接続する装置として圧縮スリーブがある。代表的な圧縮スリーブである、鋼心アルミより線同士を接続するＡＣＳＲ系圧縮形直線スリーブは、中心の鋼心線を圧縮接続する鋼スリーブと、アルミより線を圧縮接続するアルミスリーブとを備える。
【０００３】
ＡＣＳＲ系圧縮形直線スリーブを用いて一対の鋼心アルミより線を接続する場合には、まず、端末のアルミより線を所定の長さ切断し、鋼心線を露出させた状態で、一方の鋼心アルミより線にアルミスリーブを通す。鋼スリーブに一対の鋼心線を挿入し、鋼スリーブを圧縮し、鋼心線同士を接続する。その後、アルミスリーブを鋼スリーブ側に移動させ、アルミスリーブと鋼スリーブとの中心を一致させ、アルミスリーブを圧縮し一対の鋼心アルミより線の接続が完了する。
【０００４】
圧縮スリーブで接続した後の引張荷重は、十分な大きさ、例えば使用電線の引張荷重の９５％以上を確保しなければならないが、アルミスリーブと鋼スリーブとの中心位置がずれる偏心圧縮等が発生すると十分な強度を確保することができなくなる。アルミスリーブをセットするときアルミスリーブは、鋼スリーブ全体を覆うため、鋼スリーブを視認することができず、アルミスリーブと鋼スリーブとの中心を一致させることは簡単ではない。偏心圧縮に関しては従来から問題視されており、これまでに偏心圧縮を防止する方法も多く提案されている。
【０００５】
従来から多く用いられている偏心防止の方法としては、挿入する電線にアルミスリーブの長さの１／２の点をマーキングする方法（マーキング法）、鋼スリーブとアルミより線との間隙上にアルミスリーブのピン孔を合わせることにより偏心を防止する方法（アルミピン法）がある。
【０００６】
この他、アルミピン法に類似の方法として鋼スリーブに結合ピンが挿入する貫通孔を、アルミスリーブには結合ピンが挿入する挿入孔を設け、鋼スリーブの貫通孔とアルミスリーブの挿入孔との位置を合わせ、結合ピンを挿入することで鋼スリーブの位置決めを行うと共に位置ずれを防止する方法がある（例えば特許文献１参照）。また鋼スリーブの端部とアルミより線の端部との間にリング状の固定部を嵌め、固定部に連結した直径０．５ｍｍ以下の紐（長尺部）に覆い被せるように圧縮スリーブを移動させ、圧縮スリーブの端部を長尺部の端部と合せることで圧縮スリーブの位置決めを行う治具も開発されている（例えば特許文献２参照）。
【先行技術文献】
【特許文献】
【０００７】
【特許文献１】特開２００２−３５４６５２号公報
【特許文献２】特開２０１１−２２９２４２号公報
【発明の概要】
【発明が解決しようとする課題】
【０００８】
偏心圧縮を防止する方法のうち、マーキング法は、作業員による寸法の測り間違い、マーキング位置の間違いにより偏心圧縮が生じる恐れがある。アルミピン法と特許文献１に記載の方法は、アルミピン又は結合ピンの紛失、アルミピン又は結合ピンの挿入忘れにより偏心圧縮が生じる恐れがある。
【０００９】
特許文献２に記載の位置決め治具を用いた方法の場合、圧縮スリーブ以外に位置決め治具を準備する必要がある。さらに位置決め治具は、圧縮スリーブが圧縮されると回収することができず、１つの圧縮スリーブに対して１つの位置決め治具が必要となる。さらにアルミピン又は結合ピンと同様に、挿入忘れにより偏心圧縮が生じる恐れがある。
【００１０】
本発明の目的は、簡単かつ確実に位置決めを行うことができる圧縮スリーブを提供することである。
【課題を解決するための手段】
【００１１】
本発明は、心線部と該心線部の外周に配置された外層部とを有する同心より線からなる電線同士を接続する圧縮スリーブであって、外層部の一部を取去り露出させた心線部を挿入、圧縮し心線部同士を接続する内スリーブと、前記内スリーブを覆うように取付ける、端部に位置決め用のストッパーを有する２分割カラーと、前記２分割カラーを被せた内スリーブ及び該内スリーブの両側に位置する外層部を挿通、圧縮し外層部同士を接続する外スリーブと、を有し、前記２分割カラーの外周面には、前記外スリーブの位置決め用の突起が設けられ、前記外スリーブは、２分割された一対の分割スリーブで構成され、前記分割スリーブは、一端部に互いを接続可能な接続手段を有し、さらに前記接続手段を有する側の端部に前記突起が嵌り込む凹部を有することを特徴とする圧縮スリーブである。
【００１２】
本発明の圧縮スリーブは、２分割カラーの外周面に、外スリーブと内スリーブとの中心を一致させる外スリーブ位置決め用突起を備え、２分割された一対の分割スリーブからなる外スリーブには、突起が嵌り込む凹部が設けられているので、２分割カラーを取付けた後、外スリーブの凹部と突起との位置を合せることで簡単かつ確実に外スリーブの位置決めを行うことができる。外スリーブの凹部は、分割スリーブの接続手段を有する側の端部に設けられ、分割スリーブは接続手段を介して接続可能なため、分割スリーブを連結すれば自然と外スリーブの凹部と２分割カラーの突起とが一致する。従来の結合ピンのように紛失、挿入忘れなどの問題もなく確実に圧縮スリーブの位置決めを行うことができる。
【００１３】
また本発明は、前記圧縮スリーブにおいて、前記突起は、前記２分割カラーの長手方向の中心部に円周方向全体に設けられ、前記凹部は、前記一対の分割スリーブに均等に設けられていることを特徴とする。
【００１４】
本発明によれば、突起及び突起が嵌り込む凹部は、左右対称に設けられているので、２分割カラー及び分割スリーブを取付けるとき左右を区別する必要なく簡単に取付け使用することができる。
【００１５】
また本発明は、前記圧縮スリーブにおいて、前記突起は、前記２分割カラーのいずれか一方に局所的に設けられ、前記凹部は、前記一対の分割スリーブのいずれか一方にのみ設けられていることを特徴とする。
【００１６】
本発明において、２分割カラーの外周面に設ける外スリーブの位置決め用の突起は、２分割カラーのいずれか一方に局所的に設けてもよい。さらに分割スリーブに設ける凹部も、分割スリーブのいずれか一方に設けてもよい。このようにすれば、２分割カラー及び分割スリーブの加工が簡単となり、圧縮スリーブを安価に製造することができる。
【００１７】
また本発明は、前記圧縮スリーブにおいて、前記電線が、鋼心アルミより線であり、前記内スリーブが、鋼心線を接続する鋼スリーブであり、前記２分割カラーが、２分割アルミカラーであり、前記外スリーブが、アルミスリーブであることを特徴とする。
【００１８】
本発明の圧縮スリーブを鋼心アルミより線を接続する圧縮スリーブとして好適に使用することができる。
【発明の効果】
【００１９】
本発明の圧縮スリーブは、２分割カラーの外周面に外スリーブと内スリーブとの中心を一致させる外スリーブ位置決め用突起を備え、外スリーブは、２分割された一対の分割スリーブで構成され、分割スリーブの端部には、突起が嵌り込む凹部が設けられているので、２分割カラーを取付けた後、分割スリーブを連結すれば自然と外スリーブの凹部と２分割カラーの突起とが一致する。これにより簡単かつ確実に外スリーブの位置決めを行うことができる。
【図面の簡単な説明】
【００２０】
【図１】本発明の第１実施形態である圧縮スリーブ１の構成を示す断面図である。
【図２】図１の圧縮スリーブ１の中央部の拡大図である。
【図３】図２の切断線Ａ−Ａ、切断線Ｂ−Ｂ、切断線Ｃ−Ｃの断面図である。
【図４】本発明の第２実施形態である圧縮スリーブ２の構成を示す中央部の断面図である。
【発明を実施するための形態】
【００２１】
図１は、本発明の第１実施形態である圧縮スリーブ１の構成を示す断面図である。図２は、圧縮スリーブ１の中央部の拡大図、図３は、図２の切断線Ａ−Ａ、切断線Ｂ−Ｂ、切断線Ｃ−Ｃの断面図である。図１から図３において、アルミスリーブ２１は、圧縮前の状態である。以下、電線に鋼心アルミより線１００を使用し、２本の鋼心アルミより線１００ａ、１００ｂを直線的に接続する場合を例として、圧縮スリーブ１の構成、使用方法を説明する。
【００２２】
圧縮スリーブ１は、２本の鋼心アルミより線１００（１００ａ、１００ｂ）を直線的に接続する装置である。鋼心アルミより線１００は、中心部に鋼より線（鋼心線）１０２（１０２ａ、１０２ｂ）を配置し、その周囲にアルミより線１０４（１０４ａ、１０４ｂ）をより合せたものであり、圧縮スリーブ１は、心線である鋼心線１０２ａ、１０２ｂ同士を接続する鋼スリーブ１１と、外層部であるアルミより線１０４ａ、１０４ｂ同士を接続するアルミスリーブ２１（２１ａ、２１ｂ）と、鋼スリーブ１１とアルミスリーブ２１との隙間を埋める２分割アルミカラー４１（４１ａ、４１ｂ）とを有する。
【００２３】
鋼スリーブ１１は、円筒状部材であり、中心部に隔壁１３が設けられ、隔壁１３により左右に仕切られている。鋼スリーブ１１の内径は、鋼心線１０２の外径よりも僅かに大きく、隔壁１３から端部１５ａ、隔壁１３から端部１５ｂまでの長さは同じで、左右対称である。
【００２４】
アルミスリーブ２１は、左右一対のアルミスリーブ２１ａ、２１ｂで構成され、アルミより線１０４ａ、１０４ｂを接続するときは、左右一対のアルミスリーブ２１ａ、２１ｂは、連結され一体化した状態で使用する。
【００２５】
アルミスリーブ２１ａ、２１ｂは共に円筒状部材であり、内径はアルミより線１０４の外径よりも僅かに大きい。アルミスリーブ２１ａ、２１ｂの内周面側の長さは、同一であり、アルミスリーブ２１ａ、２１ｂを連結した状態で鋼スリーブ１１及び鋼スリーブ１１の両側のアルミより線１０４ａ、１０４ｂを十分に覆うことができる長さを有する。
【００２６】
アルミスリーブ２１ａの一端部には、外周面を削り落とす形で段差部２３ａが設けられ、段差部２３ａの外周面に雄ねじ２５が設けられている。アルミスリーブ２１ｂの一端部には、内周面を削り落とす形で段差部２３ｂが設けられ、段差部２３ｂの内周面にアルミスリーブ２１ａの雄ねじ２５に螺合する雌ねじ２７が設けられている。この雄ねじ２５及び雌ねじ２７によりアルミスリーブ２１ａとアルミスリーブ２１ｂとを一体的に連結することができる。
【００２７】
さらにアルミスリーブ２１ａの段差部２３ａ及びアルミスリーブ２１ｂの段差部２３ｂを有する側の端部内周には、２分割アルミカラー４１の外周面に設けられた突起５１（５１ａ、５１ｂ）が嵌り込む溝２９ａ、２９ｂが設けられている。アルミスリーブ２１ａに設けられた溝２９ａとアルミスリーブ２１ｂに設けられた溝２９ｂとは、高さ、幅とも同じであり、溝２９ａ、２９ｂは、アルミスリーブ２１ａ、２１ｂの円周方向全体に設けられている。アルミスリーブ２１ａとアルミスリーブ２１ｂとを連結した状態で溝２９ａと溝２９ｂとはつながり、溝２９ａと溝２９ｂとがつながった状態で２分割アルミカラー４１の外周部に設けられた突起５１全体がほとんど隙間なく嵌り込む。アルミスリーブ２１ａとアルミスリーブ２１ｂの内周面側の長さが同一であるので、アルミスリーブ２１ａとアルミスリーブ２１ｂとを連結した状態で溝２９（２９ａ、２９ｂ）は、アルミスリーブ２１の長手方向の中心に位置する。
【００２８】
アルミスリーブ２１ｂには、段差部２３ｂに近い位置に充填剤を充填するための充填孔３１が設けられている。充填孔３１は、アルミスリーブ２１ｂの外周面３３ｂから内周面３５ｂまで貫通した貫通孔であり、貫通孔には雌ねじが設けられている。充填孔３１は、充填剤を充填後、止め栓３７で塞がれる。なお、充填孔３１は、アルミスリーブ２１ｂに代え、アルミスリーブ２１ａに設けてもよい。
【００２９】
２分割アルミカラー４１は、鋼スリーブ１１とアルミスリーブ２１との隙間を埋める充填材であり、鋼スリーブ１１に覆い被せるように取付けられる。２分割アルミカラー４１は、外側が円柱状、内側が六角形の中空アルミカラーを、軸線を含むように長手方向に２分割した一対の２分割アルミカラー４１ａ、４１ｂからなる。ここでは一対の２分割アルミカラー４１ａ、４１ｂを突き合わせた状態で内側の形状が六角形となる２分割アルミカラー４１を示したが、２分割アルミカラー４１は、内側が六角形のものに限定されるものではない。
【００３０】
一対の２分割アルミカラー４１ａ、４１ｂは、同一の大きさ及び形態からなり、内側断面の大きさは、圧縮した鋼スリーブ１１の外周断面と略同一であり、長さは、鋼スリーブ１１よりも僅かに長い。また２分割アルミカラー４１ａ、４１ｂを組み合わせた状態で２分割アルミカラー４１の外径は、アルミより線１０４の外径よりも僅かに小さい。
【００３１】
一対の２分割アルミカラー４１ａ、４１ｂの両端部には長手方向に直交し内側に向いたストッパー４７ａ、４７ｂ、４９ａ、４９ｂが設けられ、ストッパー４７（４７ａ、４７ｂ）、４９（４９ａ、４９ｂ）の中心部には、鋼心線１０２ａ、１０２ｂを通すための半円状の溝が設けられている。このストッパー４７ａ、４７ｂ、４９ａ、４９ｂは、２分割アルミカラー４１ａ、４１ｂを鋼スリーブ１１に覆い被せるように取付けたとき、鋼スリーブ１１の端部１５ａ、１５ｂに係止する。これにより２分割アルミカラー４１ａ、４１ｂの位置が決まる。
【００３２】
さらに一対の２分割アルミカラー４１ａ、４１ｂの長手方向中心部外周面に、アルミスリーブ２１ａとアルミスリーブ２１ｂとを連結した状態の溝２９ａ、２９ｂに嵌り込む突起５１ａ、５１ｂが設けられている。この突起５１（５１ａ、５１ｂ）は、連結したアルミスリーブ２１の中心と鋼スリーブ１１の中心とを一致させる位置決め用の突起である。
突起５１ａ、５１ｂは、リング状の円盤を２分割した形状からなり、２分割アルミカラー４１ａ、４１ｂの外周面に長手方向に直交するように取付けられている。突起５１ａ、５１ｂは、２分割アルミカラー４１ａ、４１ｂを鋼スリーブ１１に覆い被せるように取付けたとき円盤状となり、この円盤状の外径は、アルミスリーブ２１ａ、２１ｂの内径よりも僅かに大きい。
【００３３】
圧縮スリーブ１を用いて２本の鋼心アルミより線１００ａ、１００ｂを接続する方法を説明する。各鋼心アルミより線１００ａ、１００ｂの外層部であるアルミより線１０４ａ、１０４ｂを端部から所定の長さ切断し、鋼心線１０２ａ、１０２ｂを露出させる。次に、段差部２３ａ、２３ｂが互いに内側を向くようにして、アルミスリーブ２１ａを鋼心アルミより線１００ａに、アルミスリーブ２１ｂを鋼心アルミより線１００ｂに通す。このときアルミスリーブ２１ａとアルミスリーブ２１ｂとが入れ替わっても問題ない。
【００３４】
鋼スリーブ１１を圧縮ダイス（図示を省略）にかませ、左右の鋼心線１０２ａ、１０２ｂを鋼スリーブ１１に挿入する。このとき鋼心線１０２ａ、１０２ｂの先端部が、鋼スリーブ１１の中央の隔壁１３に当接するまで挿入する。これにより鋼スリーブ１１と２本の鋼心アルミより線１００ａ、１００ｂの位置が決まる。鋼心アルミより線１００ａ、１００ｂを水平に保持し鋼スリーブ１１の中央を圧縮し、その後、端部１５ａ、１５ｂ方向に向かって順次、鋼スリーブ１１を圧縮し、２本の鋼心線１０２ａ、１０２ｂを接続する。圧縮後の鋼スリーブ１１の端部１５ａとアルミより線１０４ａの端部との間隔、及び鋼スリーブ１１の端部１５ｂとアルミより線１０４ｂの端部との間隔は、通常１０ｍｍ以下である。
【００３５】
次に、圧縮した鋼スリーブ１１を覆うように２分割アルミカラー４１ａ、４１ｂを被せる。２分割アルミカラー４１ａ、４１ｂは、両端部にストッパー４７、４９を有するので、２分割アルミカラー４１ａ、４１ｂを取付けた後は、長手方向に移動することはない。これらにより２分割アルミカラー４１ａ、４１ｂの位置は簡単に決まる。一対の２分割アルミカラー４１ａ、４１ｂは、同じ大きさでかつ同じ形態であり、左右対称に形成されているので、上下左右を気にすることなく取付けることができる。
【００３６】
次に、２分割アルミカラー４１ａ、４１ｂを覆うように左右のアルミスリーブ２１ａ、２１ｂを中心部に移動させる。アルミスリーブ２１ａの雄ねじ２５とアルミスリーブ２１ｂの雌ねじ２７を螺合させ、アルミスリーブ２１ａとアルミスリーブ２１ｂとを連結させる。これにより２分割アルミカラー４１ａ、４１ｂの突起５１ａ、５１ｂが、アルミスリーブ２１ａ、２１ｂの端部に設けられた溝２９ａ、２９ｂに自然に嵌り込む。２分割アルミカラー４１ａ、４１ｂの突起５１ａ、５１ｂは、鋼スリーブ１１の中心に位置し、アルミスリーブ２１ａとアルミスリーブ２１ｂとを連結した状態で溝２９（２９ａ、２９ｂ）は、アルミスリーブ２１の長手方向の中心に位置するので、鋼スリーブ１１の中心位置とアルミスリーブ２１の中心位置とが自然と一致する。
【００３７】
次に、アルミスリーブ２１ｂの充填孔３１から充填剤を充填し、充填後、充填孔３１に止め栓３７をねじ込む。鋼心アルミより線１００ａ、１００ｂを水平に保持しアルミスリーブ２１のアルミスリーブ２１ａとアルミスリーブ２１ｂとの螺合部（連結部）を圧縮し、その後、端部方向に向かって順次、アルミスリーブ２１を圧縮し、２本のアルミより線１０４ａ、１０４ｂを接続する。以上の操作より、２本の鋼心アルミより線１００ａ、１００ｂの接続が完了する。
【００３８】
上記のように圧縮スリーブ１は、鋼スリーブ１１が長手方向中心部に位置決め用の隔壁１３を備え、２分割アルミカラー４１が自身の位置を決めるためのストッパー４７、４９を両端部に備え、さらにアルミスリーブ２１の位置決めをする突起５１を外周面に備えるので、従来問題となっていたアルミスリーブ２１の位置決めも含め、圧縮スリーブ１の位置決めを簡単かつ確実に行うことができる。
【００３９】
圧縮スリーブ１は、２分割アルミカラー４１ａ、４１ｂが同じ大きさでかつ同じ形態であり、左右対称に形成され、アルミスリーブ２１ａ、２１ｂも段差部２３ａ、２３ｂ、ねじ部を除き、同じ大きさでかつ同じ形態であり、溝２９ａ、２９ｂも左右対称に形成されているので、鋼スリーブ１１、２分割アルミカラー４１ａ、４１ｂ、アルミスリーブ２１ａ、２１ｂのいずれも左右を区別して取付ける必要がない。このため鋼スリーブ１１、２分割アルミカラー４１ａ、４１ｂ、アルミスリーブ２１ａ、２１ｂのセットが簡単である。
【００４０】
さらに圧縮スリーブ１は、従来の圧縮スリーブと異なり位置決めを行うための結合ピンを必要としないので、結合ピンの紛失、挿入忘れの心配もない。本実施形態の圧縮スリーブ１において、２分割アルミカラー４１の両端部にストッパー４７、４９が設けられているが、２分割アルミカラー４１の一方の端部にのみストッパー４７（４９）を設け、他方には、２分割アルミカラー４１を取付けた後に軟アルミ線を巻き付けてもよい。２分割アルミカラー４１の一方の端部にのみストッパー４７（４９）を設けるときも、２分割アルミカラー４１及びアルミスリーブ２１の取付け方向は特に問われない。
【００４１】
図４は、本発明の第２実施形態である圧縮スリーブ２の構成を示す中央部の断面図である。図１から図３と同様に、アルミスリーブ２２は、圧縮前の状態である。図１から図３に示す第１実施形態の圧縮スリーブ１と同一の構成には、同一の符号を付して説明を省略する。以下、電線に鋼心アルミより線１００を使用し、２本の鋼心アルミより線１００ａ、１００ｂを直線的に接続する場合を例として、第１実施形態の圧縮スリーブ１と異なる点を中心に説明する。
【００４２】
第２実施形態の圧縮スリーブ２も第１実施形態の圧縮スリーブ１と同様に、２本の鋼心アルミより線１００ａ、１００ｂを直線的に接続する装置であり、圧縮スリーブ２の基本的構成、使用方法、位置決めの要領も圧縮スリーブ１と同じである。但し、２分割アルミカラー４２（４２ａ、４２ｂ）に設けられた突起５２の位置、大きさ、形態が異なり、これに対応する形で突起５２が嵌り込むアルミスリーブ２２に設けられる溝３０の位置、大きさ、形態が異なる。
【００４３】
第１実施形態の圧縮スリーブ１の２分割アルミカラー４１では、突起５１が中心部円周全体に設けられているが、第２実施形態の圧縮スリーブの２分割アルミカラー４２では、突起５２は、厚さの薄い小さい長方体であり円周全体に設けられていない。突起５２は、２分割アルミカラー４２ｂにのみ設けられ、２分割アルミカラー４２ａには突起５２はない。また突起５２は、２分割アルミカラー４２ｂを長手方向に見て先端部５３が２分割アルミカラー４２ｂの長手方向の中心になるように設けられている。図４の場合、突起５２は、左側に位置している。
【００４４】
アルミスリーブ２２は、第１実施形態のアルミスリーブ２１と同様に、ねじで連結する２つのアルミスリーブ２２（２２ａ、２２ｂ）からなる。第１実施形態のアルミスリーブ２１では、２つのアルミスリーブ２１ａ、２１ｂの端部それぞれに均等に溝２９ａ、２９ｂが設けられていたが、第２実施形態のアルミスリーブ２２では、一方のアルミスリーブ２２ａにのみ溝３０が設けられ、他方のアルミスリーブ２２ｂには溝３０は設けられていない。溝３０の形状、構造を除けば、第１実施形態のアルミスリーブ２１と第２実施形態のアルミスリーブ２２とは大きさ、形態、構造は同じである。
【００４５】
圧縮スリーブ２の使用方法、２本の鋼心アルミより線１００ａ、１００ｂの接続要領は、基本的に圧縮スリーブ１と同一である。２分割アルミカラー４２ｂを取付けるとき、突起５２が左右のいずれにあってもよいが、２分割アルミカラー４２ｂの突起５２が左側に位置しているときは、溝３０のあるアルミスリーブ２２ａも左側とし、２分割アルミカラー４２ｂの突起５２が右側に位置しているときは、溝３０のあるアルミスリーブ２２ａも右側とする必要がある。
【００４６】
圧縮スリーブ１では、２分割アルミカラー４１の突起５１、２つのアルミスリーブ２１ａ、２１ｂの溝２９ａ、２９ｂが左右対称に設けられているため、２分割アルミカラー４１と２つのアルミスリーブ２１ａ、２１ｂとを取付けるときの方向及び組み合わせが限定されない。これに対して圧縮スリーブ２の場合、２分割アルミカラー４２ｂの突起５２に合せてアルミスリーブ２２ａを取付ける必要がある。
【００４７】
一方で、圧縮スリーブ２の場合、突起５２が小さく、しかも一方の２分割アルミカラー４２ｂにのみ突起５２が設けられているので、２分割アルミカラー４２の製造が容易であり安価に製造することができる。同様に、アルミスリーブ２２ａに設ける溝３０も小さく、しかも一方のアルミスリーブ２２ａにのみ溝３０が設けられているので、アルミスリーブ２２ａ、２２ｂの製造が容易であり安価に製造することができる。
【００４８】
以上、２つの実施形態を用いて本発明の圧縮スリーブを説明したけれども、本発明の圧縮スリーブは、上記実施形態に限定されるものではない。上記実施形態では、２分割アルミカラー４１の中心、又は２分割アルミカラー４２の中心から僅かにずれた位置に突起５１、５２が設けられているが、突起５１、５２の位置は、必ずしも２分割アルミカラー４１、４２の長手方向中心部でなくてもよく、端部に設けてもよい。但し、この場合には突起５１、５２の位置に合せて、２つのアルミスリーブ２１ａ、２１ｂ、２２ａ、２２ｂの長さを調整する必要がある。また突起５１、５２の大きさ、形態も特定のものに限定されるものではない。
【００４９】
要すれば、突起５１（５２）と溝２９（３０）の位置を合せることで、連結したアルミスリーブ２１、２２の中心位置と鋼スリーブ１１の中心位置とを一致することができれば、突起５１、５２の位置、大きさ、形態は特に問われない。但し、突起の製造が容易で安価に製造可能であり、取付け方法を含め使用方法が簡単なものが好ましい。
【００５０】
また上記実施形態では、電線に鋼心アルミより線を使用する例を示したが、電線は鋼心アルミより線に限定されるものではなく、心線部と該心線部の外周に配置された外層部とを有する同心より線からなる電線同士の接続に本発明の圧縮スリーブを使用することができる。上記実施形態では、心線が鋼材であったため鋼スリーブを、外層部がアルミより線であったため２分割アルミカラー、アルミスリーブを使用するが、心線部及び外層部の材質が変われば、心線を接続するスリーブである内スリーブの材質には、心線の材質と同じか類似のものを、外層部を接続するスリーブである外スリーブの材質には、外層部の材質と同じか類似のものを使用すればよい。
【符号の説明】
【００５１】
１  圧縮スリーブ
２  圧縮スリーブ
１１  鋼スリーブ
１３  隔壁
１５ａ、１５ｂ  鋼スリーブの端部
２１、２１ａ、２１ｂ  アルミスリーブ
２２、２２ａ、２２ｂ  アルミスリーブ
２３ａ、２３ｂ  段差部
２５  雄ねじ
２７  雌ねじ
２９ａ、２９ｂ  溝
３０  溝
４１、４１ａ、４１ｂ  ２分割アルミカラー
４２、４２ａ、４２ｂ  ２分割アルミカラー
４７ａ、４７ｂ  ２分割アルミカラーのストッパー
４９ａ、４９ｂ  ２分割アルミカラーのストッパー
５１、５１ａ、５１ｂ  突起
５２  突起
５３  突起の先端部
１００、１００ａ、１００ｂ  鋼心アルミより線
１０２、１０２ａ、１０２ｂ  鋼より線、鋼心線
１０４、１０４ａ、１０４ｂ  アルミより線
【図１】
2013191419.tif 000003
【図２】
2013191419.tif 000004
【図３】
2013191419.tif 000005
【図４】
2013191419.tif 000006